(57)【要約】  熱に晒されると変形しがちな固形製品を運搬し、かつ／または保管するためのスリーブパックであって、ベース部と、ベース部に連結された本体とを含み、ベース部がハニカムシートから形成されて本体は巻かれたボール紙から形成されることを特徴とするスリーブパックを与える。【特許請求の範囲】
【請求項１】
熱に晒されると変形しがちな固形製品を運搬しかつ／または保管するためのスリーブパックであって、ベース部と、ベース部に連結された本体とを含み、ベース部がハニカムシートから形成されて本体は巻かれたボール紙から形成されることを特徴とする、スリーブパック。
【請求項２】
ハニカムシートは紙材料から形成されることを特徴とする、請求項１に記載のスリーブパック。
【請求項３】
ハニカムシートの厚さは１０ｍｍから２５ｍｍ、特に好ましくは１５ｍｍであることを特徴とする、請求項１または２のいずれかに記載のスリーブパック。
【請求項４】
ベース部と本体とは、ステープリング、糊付け、もしくはクリップ留め、またはさねはぎ継ぎによって連結されることを特徴とする、請求項１から３のいずれかに記載のスリーブパック。
【請求項５】
円筒状、より特定的には円形の円筒状ジオメトリによって特徴付けられる、請求項１から４のいずれかに記載のスリーブパック。
【請求項６】
ポリウレタン複合物、より特定的にはポリウレタンホットメルト接着剤を運搬し、かつ／または保管するための、請求項１から５のいずれかに記載のスリーブパックの使用。
【発明の詳細な説明】
【技術分野】
【０００１】
本発明は、熱に晒されると変形しがちな固形製品を運搬し、かつ／または保管するためのスリーブパックに関する。
【背景技術】
【０００２】
標準温度、すなわちおよそ２０℃から２５℃の範囲では固形であるが、熱に晒されると変形し得る製品は、その寸法的安定性が確保されるような方法でしばしば保管され、かつ／または運搬されなければならない。この目的のため、特に比較的大きなコンテナの場合は、それ自身が変形することなく大きな力を吸収することが必要とされる、スリーブパックを用いることが一般的である。
【０００３】
実際には、この目的のため、射出成形されたプラスチック、より特定的にはポリエチレンまたはポリプロピレンでできたベース部を有するスリーブパックが確立されてきた。ほとんどまたは全く負荷を受けない、ベース部に接続された側壁すなわちスリーブパックの本体は、コスト上の理由で、特にボール紙である紙材料で形成することができる。
【０００４】
紙材料のみから形成されるスリーブパックも公知である。
【発明の開示】
【発明が解決しようとする課題】
【０００５】
公知のスリーブパックの欠点は、スリーブパックで運搬される固形製品の熱変形において生じ得る力を吸収するのに十分な寸法的安定性を欠いていることである。しかしながら、製品の元の形状が変化する場合は、ダウンストリーム処理動作において問題が生じ得る。たとえば、ポリウレタンホットメルト接着剤はしばしば、カートリッジとして知られる、しばしば２キログラムから２０キログラムの範囲の重量の円筒状ブロックの形状で梱包され、運搬される。カートリッジは、さらなる使用のために、既存の溶融装置に適合しなければならず、そこで特に一般に平坦であるプラテンの圧力を受ける。溶融装置において問題のない状態でポリウレタンホットメルト接着剤カートリッジを処理するため、かつプラテンの圧力をかけるために、特にカートリッジが平坦なベース部を有することが必要である。
【０００６】
したがって、本発明の目的は、熱に晒されると変形しがちな固形製品の運搬および／または保管のためのスリーブパックであって、それに伴う力を吸収し、固形製品の変形を防ぐのに十分な寸法的安定性を有するスリーブパックを与えることである。
【課題を解決するための手段】
【０００７】
この目的は、熱に晒されると変形しがちな固形製品を運搬しかつ／または保管するためのスリーブパックであって、ベース部と、ベース部に連結された本体とを含み、ベース部がハニカムシートから形成されることを特徴とするスリーブパックによって達成される。
【発明を実施するための最良の形態】
【０００８】
ハニカムシートは軽量の構造構成要素であって、その両端部でサンドイッチ形状に囲む固形材料のシートの有無にかかわらず、その複数壁構造のために高い割合でキャビティを有し、優れた機械的性質と結合して、固有の重量は少ないまま、特に高い安定性、強度、および緩衝性を有する。
【０００９】
ハニカムのジオメトリはこの実用においては重要ではなく、たとえば蜂の巣のように形
状が六角形でもよく、または形状がほぼ多角形でもよい。
【００１０】
本発明のスリーブパックのベース部としては、ハニカムシート用に選択される材料はたとえばプラスチック、より特定的にはポリプロピレンであってもよい。
【００１１】
しかしながら、ベース部を紙のハニカムシートから生成することが好ましい。スリーブパックの本体も同様の材料、より具体的には紙材料で形成される場合にこれは特に有利である。なぜならばその場合、スリーブパックは単一の材料としてリサイクルできるからである。
【００１２】
スリーブパックの本体のための用紙はボール紙、特に巻かれたボール紙が有利である。
スリーブパックのベース部のハニカムシートの厚さはコンテナのサイズおよび重量に従って選択され、好ましくは１０ｍｍから２５ｍｍである。
【００１３】
スリーブパックのベース部および本体はいかなる公知の方法で連結されてもよく、より特定的には、ステープリング、糊付け、もしくはクリップ留め、またはさねはぎ継ぎによって連結されてもよい。
【００１４】
紙のハニカムシートは、たとえばフランケンブルグ（Frankenberg）のＳＷＡＰ社（SWAP GmbH）によって製造され、またはメレキー社（Melecky a.s.）のFixboard（登録商標）製品、もしくはベシン社（Besin International n.v.）のBeeBoard（登録商標）製品であってもよい。
【００１５】
スリーブパックのジオメトリは好ましくは円筒状、より特定的には円形円筒状である。例示的な本体の寸法は、内径２８２ｍｍ、外径２８８ｍｍ、および全体の高さが３５０ｍｍである。ベース部は、たとえば直径２８２ｍｍおよび高さ１５ｍｍの円形のディスクとして形成される。
【００１６】
ベース部用に選択されるハニカムシートは、特別な利点として、圧縮力（druckfestigkeit）が４０ｔ／ｍ2および座屈抵抗（Knickfestigkeit）が４０ｔ／ｍ2である。
【００１７】
本発明のスリーブパックは特に、約２０℃から２５℃の室温で固形であるが熱に晒されると変形しがちポリウレタン複合物を運搬するのに適している。特にこれらの複合物は、ＰＵホットメルトとして知られる単一構成要素のホットメルト接着剤、たとえばKleiberit（登録商標）PUR−SK、Jowatherm-Reaktant（登録商標）ＰＵホットメルト接着剤、Henkel Purmelt（登録商標）、Fuller Ipatherm（登録商標）などのタイプであり得る。
【００１８】
これらのホットメルト接着剤の生成動作において、製品は、しばしば約１２０℃から１５０℃の温度の液体形状で得られ、当初は複合的アルミニウム袋に導入される。ホットメルト接着剤で満たされた複合的アルミニウム袋は、約１２時間から２４時間の間スリーブパック内で冷却され、そうする間に円筒状ブロックすなわちカートリッジを形成するよう凝固する。スリーブパックの高い寸法的安定性は、極めて過酷な気候条件下で運搬される場合もカートリッジの形状が変化しないことを確実にする。
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
熱に晒されると変形しがちな固形製品を運搬しかつ／または保管するためのスリーブパックであって、ベース部と、ベース部に連結された本体とを含み、巻かれたボール紙でできており、ベース部は、多角形のハニカムを有するハニカムシートから形成されることを特徴とする、スリーブパック。
【請求項２】
ハニカムのジオメトリは六角形であることを特徴とする、請求項１に記載のスリーブパック。
【請求項３】
ハニカムシートは紙材料から形成されることを特徴とする、請求項１または２に記載のスリーブパック。
【請求項４】
ハニカムシートの厚さは１０ｍｍから２５ｍｍ、特に好ましくは１５ｍｍであることを特徴とする、請求項１から３のいずれかに記載のスリーブパック。
【請求項５】
ベース部と本体とは、ステープリング、糊付け、もしくはクリップ留め、またはさねはぎ継ぎによって連結されることを特徴とする、請求項１から４のいずれかに記載のスリーブパック。
【請求項６】
円筒状、より特定的には円形の円筒状ジオメトリによって特徴付けられる、請求項１から５のいずれかに記載のスリーブパック。
【請求項７】
ポリウレタン複合物、より特定的にはポリウレタンホットメルト接着剤を運搬し、かつ／または保管するために、請求項１から６のいずれかに記載のスリーブパックを使用する方法。
【国際調査報告】
2008521718.tif 000002
2008521718.tif 000003
2008521718.tif 000004
2008521718.tif 000005